(57)【特許請求の範囲】
【請求項１】
スピーカーケーブルを介してデジタルアンプが出力するデジタル信号を受信し、受信したデジタル信号をスピーカーに出力する信号受信装置であって、
前記スピーカーに対して並列に接続される可変抵抗と、
受信したデジタル信号を半波整流し、半波整流したデジタル信号の平均値を出力する検波部と、
前記検波部が出力した前記平均値を表示する表示部と、
前記可変抵抗の抵抗値を調整するための第１調整部と、
を備えることを特徴とする信号受信装置。
【請求項２】
基準電圧の電圧値を調整するための第２調整部をさらに備え、
前記表示部は、前記基準電圧の電圧値と前記平均値との差分を表示することを特徴とする請求項１に記載の信号受信装置。
【請求項３】
前記表示部は、前記基準電圧の電圧値を中心に回転して前記差分を表示する針を有するアナログ電圧計であって、
前記針は、前記差分が負である場合に、反時計回り方向に回転して前記差分を表示し、前記差分が正である場合に、時計回り方向に回転して前記差分を表示することを特徴とする請求項２に記載の信号受信装置。
【請求項４】
前記検波部は、
前記デジタルアンプが出力するデジタル信号を半波整流するダイオードと、
抵抗と、前記抵抗と直列に接続された第１コンデンサと、を有し、前記ダイオードが半端整流したデジタル信号を積分して前記平均値を出力する積分回路と、
を有することを特徴とする請求項１〜３のいずれか１項に記載の信号受信装置。
【請求項５】
前記可変抵抗に直列に接続された第２コンデンサをさらに備えることを特徴とする請求項１〜４のいずれか１項に記載の信号受信装置。
【請求項６】
請求項１〜５のいずれか１項に記載の信号受信装置と、スピーカーと、を備えることを特徴とするスピーカー装置。
【発明の詳細な説明】
【技術分野】
【０００１】
本発明は、音声信号等の入力信号を増幅するスイッチングアンプ等のデジタルアンプが出力するデジタル信号を受信し、スピーカーに出力する信号受信装置、及び、スピーカー装置に関する。
【背景技術】
【０００２】
音声信号等の入力信号を増幅するスイッチングアンプ等のデジタルアンプが知られている。デジタルアンプは、例えば、入力された音声信号をパルス幅変調（Pulse Wide Modulation）し、パルス幅変調したＰＷＭ信号等のデジタル信号をローパスフィルターに出力する。ローパスフィルターは、デジタル信号の高周波数成分をカットし、スピーカーに出力する。スピーカーは、ローパスフィルターが出力した信号に基づいて、音声を出力する。ここで、デジタルアンプが出力するデジタル信号を、ローパスフィルターを介さず、スピーカーに出力できれば、スピーカーにおいて音声信号の高域まで再現することが可能となる。また、ローパスフィルターが不要となるため、デジタルアンプのコストが低下し、また、デジタルアンプのサイズが小さくなるというメリットがある。
【０００３】
しかしながら、デジタルアンプとスピーカーとがスピーカーケーブルで接続される場合、スピーカーケーブルのインピーダンスと、スピーカー側のインピーダンスと、が一致していなければ、デジタル信号の高周波成分がスピーカー（受端）側で反射し、デジタル信号の波形がリンギングするという問題がある。特許文献１及び２に記載の装置では、図８に示すように、スピーカー３００側のインピーダンスがスピーカーケーブル４００のインピーダンスと一致するように、スピーカー３００（受端）側に抵抗Ｒを設けている。例えば、スピーカーケーブルのインピーダンスが７０Ωであれば、７０Ωの抵抗Ｒを設ければよい。これにより、デジタルアンプ５００（送端）側から出力されたデジタル信号の高周波成分が、スピーカー３００（受端）側で抵抗Ｒにより吸収され、反射されることがない。
【先行技術文献】
【特許文献】
【０００４】
【特許文献１】特開平６−１８９３９１号公報
【特許文献２】特開平６−２９２２９５号公報
【発明の概要】
【発明が解決しようとする課題】
【０００５】
デジタルアンプとスピーカーケーブルとに接続されるスピーカーケーブルは、製品によって、インピーダンスが異なる。このため、特許文献１及び２に記載の装置では、異なるインピーダンスのスピーカーケーブルに対応できないという問題がある。
【０００６】
本発明の目的は、スピーカーケーブルのインピーダンスに関わらず、スピーカー（受端）側でのデジタル信号の反射を防止することである。
【課題を解決するための手段】
【０００７】
第１の発明の信号受信装置は、スピーカーケーブルを介してデジタルアンプが出力するデジタル信号を受信し、受信したデジタル信号をスピーカーに出力する信号受信装置であって、前記スピーカーに対して並列に接続される可変抵抗と、受信したデジタル信号を半波整流し、半波整流したデジタル信号の平均値を出力する検波部と、前記検波部が出力した前記平均値を表示する表示部と、前記可変抵抗の抵抗値を調整するための第１調整部と、を備えることを特徴とする。
【０００８】
本発明では、表示部は、検波部が出力したデジタル信号の平均値を表示する。また、ユーザーは、第１調整部によって、スピーカーに対して並列に接続される可変抵抗の抵抗値を調整することができる。従って、ユーザーは、表示部に表示される平均値が、デジタルアンプから出力されるデジタル信号の電圧値（波高値）となるように、第１調整部により可変抵抗の抵抗値を調整することにより、デジタルアンプとスピーカーとの間に接続されるスピーカーケーブルのインピーダンスと、スピーカー（受端）側のインピーダンスと、をあわせることができる。これにより、スピーカー（受端）側でのデジタル信号の反射が防止される。このように、本発明によれば、スピーカーケーブルのインピーダンスに関わらず、スピーカー（受端）側でのデジタル信号の反射を防止することができる。
【０００９】
第２の発明の信号受信装置は、第１の発明の信号受信装置において、基準電圧の電圧値を調整するための第２調整部をさらに備え、前記表示部は、前記基準電圧の電圧値と前記平均値との差分を表示することを特徴とする。
【００１０】
本発明では、表示部は、基準電圧の電圧値と平均値との差分を表示する。このため、ユーザーは、表示部を確認しながら、基準電圧の電圧値と平均値との差分がなくなるように第１調整部を調整することで、容易に、スピーカーケーブルのインピーダンスとスピーカー側のインピーダンスとをあわせることができる。
【００１１】
第３の発明の信号受信装置は、第２の発明の信号受信装置において、前記表示部は、前記基準電圧の電圧値を中心に回転して前記差分を表示する針を有するアナログ電圧計であって、前記針は、前記差分が負である場合に、反時計回り方向に回転して前記差分を表示し、前記差分が正である場合に、時計回り方向に回転して前記差分を表示することを特徴とする。
【００１２】
本発明では、表示部は、アナログ電圧計である。このため、平均値を表示するために、別途電源を設ける必要がない。また、ユーザーは、針を確認しながら、基準電圧の電圧値と平均値との差分がなくなるように第１調整部を調整することで、容易に、スピーカーケーブルのインピーダンスとスピーカー側のインピーダンスとをあわせることができる。
【００１３】
第４の発明の信号受信装置は、第１〜第３の発明のいずれかの信号受信装置において、前記検波部は、前記デジタルアンプが出力するデジタル信号を半波整流するダイオードと、抵抗と、前記抵抗と直列に接続された第１コンデンサと、を有し、前記ダイオードが半端整流したデジタル信号を積分して前記平均値を出力する積分回路と、を有することを特徴とする。
【００１４】
本発明によれば、検波部を、ダイオード、抵抗及びコンデンサを有する積分回路による簡易な回路構成とすることができる。
【００１５】
第５の発明の信号受信装置は、第１〜第４の発明のいずれかの信号受信装置において、前記可変抵抗に直列に接続された第２コンデンサをさらに備えることを特徴とする。
【００１６】
本発明では、可変抵抗に第２コンデンサが直列に接続されている。このため、可変抵抗による電流消費を大幅に低減することができる。
【００１７】
第６の発明のスピーカー装置は、第１〜第５の発明のいずれかの信号受信装置において、請求項１〜５のいずれか１項に記載の信号受信装置と、スピーカーと、を備えることを特徴とする。
【発明の効果】
【００１８】
本発明によれば、スピーカーケーブルのインピーダンスに関わらず、スピーカー（受端）側でのデジタル信号の反射を防止することができる。
【図面の簡単な説明】
【００１９】
【図１】本発明の実施形態に係るスピーカー装置の基本構成を示す図である。
【図２】本実施形態に係るスピーカー装置の具体的な回路構成を示すである。
【図３】（ａ）は、本実施形態に係るスピーカー装置の外観を示す正面図である。（ｂ）は、本実施形態に係るスピーカー装置の外観を示す背面図である。
【図４】（ａ）は、デジタルアンプから出力するテスト用のデジタル信号を示すグラフである。（ｂ）は、スピーカー側でのデジタル信号を示すグラフである。（ｃ）は、デジタル信号の平均値を示すグラフである。
【図５】（ａ）は、デジタルアンプから出力するテスト用のデジタル信号を示すグラフである。（ｂ）は、スピーカー側でのデジタル信号を示すグラフである。（ｃ）は、デジタル信号の平均値を示すグラフである。
【図６】（ａ）は、デジタルアンプから出力するテスト用のデジタル信号を示すグラフである。（ｂ）は、スピーカー側でのデジタル信号を示すグラフである。（ｃ）は、デジタル信号の平均値を示すグラフである。
【図７】（ａ）は、変形例に係る信号受信装置とスピーカーとの外観を示す側面図である。（ｂ）は、変形例に係る信号受信装置の背面図である。
【図８】従来装置の回路構成を示す図である。
【発明を実施するための形態】
【００２０】
以下、本発明の実施形態について説明する。図１は、本発明の実施形態に係るスピーカー装置の基本構成を示す図である。スピーカー装置１は、デジタルアンプ１００が出力するデジタル信号を受信し、スピーカー３に出力する信号受信装置２と、スピーカー３と、を備える。デジタルアンプ１００とスピーカー装置１（スピーカー３）とは、スピーカーケーブル２００により接続される。
【００２１】
デジタルアンプ１００は、入力される音声信号をパルス幅変調（Pulse Width Modulation）し、パルス幅変調した音声信号（デジタル信号）を信号受信装置２に出力する。なお、ここでは、デジタルアンプ１００が、音声信号をパルス幅変調することを例示したが、これに限られず、デジタルアンプ１００は、デジタル信号を信号受信装置２に出力すればよい。例えば、デジタルアンプ１００は、音声信号をパルス密度変調（Pulse Density Modulation）して、信号受信装置２に出力してもよい。
【００２２】
信号受信装置２は、可変抵抗Ｒ１、コンデンサＣ１、検波部４、表示部５、操作ツマミ６、スライダー７を備える。可変抵抗Ｒ１は、スピーカー３に並列に接続されている。可変抵抗Ｒ１の抵抗値は、後述する操作ツマミ６によって変更可能である。コンデンサＣ１（第２コンデンサ）は、可変抵抗Ｒ１に直列に接続されている。コンデンサＣ１は、一端が可変抵抗Ｒ１に接続され、他端が接地電位に接続されている。
【００２３】
検波部４は、デジタルアンプ１００が出力するデジタル信号を半波整流し、半端整流したデジタル信号の平均値を出力する。図２は、本実施形態に係るスピーカー装置の具体的な回路構成を示す図である。図示するように、検波部４は、ダイオードＤ１、積分回路８を有する。ダイオードＤ１は、デジタルアンプ１００が出力するデジタル信号を半端整流する。ダイオードＤ１は、アノードが積分回路８を構成する抵抗Ｒ２の他端に接続されている。また、ダイオードＤ１は、カソードが表示部５（アナログ電圧計）の＋極端子に接続されている。積分回路８は、ダイオードＤ１が半端整流したデジタル信号を積分してデジタル信号の平均値を出力する。積分回路８は、抵抗Ｒ２、抵抗Ｒ２に直列に接続されたコンデンサＣ２（第１コンデンサ）を有する。抵抗Ｒ２は、一端がスピーカー３と可変抵抗Ｒ１との間に接続されている。また、抵抗Ｒ２は、他端がダイオードＤ１のアノードに接続されている。コンデンサＣ２は、表示部５（アナログ電圧計）の＋極端子と、表示部５（アナログ電圧計）の−極端子に接続される端子と、の間に接続されている。抵抗Ｒ３は、表示部５（アナログ電圧計）の＋極端子と、表示部５（アナログ電圧計）の−極端子に接続される端子と、の間に接続されている。抵抗Ｒ３は、コンデンサＣ２と並列となっており、コンデンサＣ２を放電させるための抵抗である。
【００２４】
表示部５は、検波部４が出力するデジタル信号の平均値を表示する。具体的には、表示部５は、アナログ電圧計である。表示部５は、メーター９、倍率器１０を有する。図３は、スピーカー装置の外観を示す図であり、（ａ）は、正面図、（ｂ）は、背面図である。図３（ｂ）に示すように、メーター９は、スピーカー装置１の筐体背面に設けられている。また、メーター９は、デジタル信号の平均値を表示するための針１１を有する。なお、図２において、抵抗ＲＶは、メーター９の内部抵抗を示している。
【００２５】
倍率器１０は、メーター９で表示する基準電圧の電圧値を変更するためのものであり、抵抗ＲＭ１、ＲＭ２、ＲＭ３を有する。例えば、検波部４の端子が、表示部５（倍率器１０）の抵抗ＲＭ１〜ＲＭ３をすべて含む−極端子に接続された場合、基準電圧の電圧値は、６０Ｖとなる。また、検波部４の端子が、表示部５（倍率器１０）のＲＭ２、ＲＭ３を含む−極端子に接続された場合、基準電圧の電圧値は、５０Ｖとなる。また、検波部４の端子が、表示部５（倍率器１０）のＲＭ３のみを含む−極端子に接続された場合、基準電圧の電圧値は、２５Ｖとなる。また、検波部４の端子が、表示部５（倍率器１０）の抵抗ＲＭ１〜ＲＭ３を全て含まない−極端子に接続された場合、基準電圧の電圧値は、２０Ｖとなる。検波部４の端子を、表示部５（倍率器１０）のいずれの−極端子に接続するかの選択、すなわち、基準電圧の電圧値の選択は、後述するスライダー７によって行われる。
【００２６】
ここで、メーター９の針１１は、倍率器１０によって設定された基準電圧の電圧値と、検波部４が出力した平均値と、の差分を、基準電圧の電圧値を中心に回転して表示する。具体的には、針１１は、差分が負である場合に、反時計回り方向に回転して差分を表示する。また、針１１は、差分が正である場合に、時計回り方向に回転して差分を表示する。
【００２７】
操作ツマミ６（第１調整部）は、可変抵抗Ｒ１の抵抗値を調整するためのものである。図３（ｂ）に示すように、操作ツマミ６は、スピーカー装置１の筐体背面に設けられている。操作ツマミ６は、時計回り方向、及び、反時計回り方向に回転可能であり、時計回り方向に向かって抵抗値が大きくなるように可変抵抗Ｒ１の抵抗値を調整可能である。例えば、操作ツマミ６により、最小１０Ωから最大３００Ωまで可変抵抗Ｒ１の抵抗値を調整可能である。スライダー７（第２調整部）は、表示部５で表示する基準電圧の電圧値を調整するためのものである。図３（ｂ）に示すように、スライダー７は、スピーカー装置１の筐体背面に設けられている。スライダー７は、左右方向にスライド可能であり、右方向に向かって電圧値が大きくなるように基準電圧の電圧値を調整可能である。ユーザーは、２０Ｖ、２５Ｖ、５０Ｖ、６０Ｖと表示された位置にスライダー７を移動させることにより、その電圧値に、基準電圧の電圧値を調整可能である。ここで、スライダー７が各電圧値の位置に移動されることにより、その電圧値に応じて、検波部４の端子が、表示部５（倍率器１０）の−極端子に接続される。例えば、スライダー７が電圧値６０Ｖの位置に移動されると、検波部４の端子は、表示部５（倍率器１０）の抵抗ＲＭ１〜ＲＭ３を全て含む−極端子に接続される。なお、図３（ｂ）に示すように、スピーカー装置１の筐体背面には、スピーカーケーブル２００を接続するための接続端子（＋、−）１２、１３が設けられている
【００２８】
なお、図２においては、コイルＬ１、コンデンサＣ３、抵抗Ｒ４、Ｒ５によってスピーカー３の等価回路が示されている。
【００２９】
次に、デジタルアンプ１００からスピーカー装置１にデジタル信号を出力した場合について説明する。例えば、図４（ａ）に示すように、電圧値（波高値）±２０Ｖ、デューティ比５０パーセントのテスト用のデジタル信号（パルス信号）をデジタルアンプ１００からスピーカー装置１に出力する。ここで、スピーカーケーブル２００のインピーダンスが１００Ω、スピーカー３側のインピーダンスが２００Ωであり、スピーカー３側のインピーダンスが大きかったとする。そうすると、スピーカーケーブル２００のインピーダンスと、スピーカー３側のインピーダンスと、が一致していないため、デジタル信号がスピーカー３側で反射する。このとき、スピーカーケーブル２００のインピーダンスに比べて、スピーカー３側のインピーダンスが大きすぎるため、反射信号は正となり、図４（ｂ）において楕円で囲った部分のように、デジタル信号に正の反射信号が加算される。
【００３０】
図４（ｃ）は、図４（ｂ）で示す信号を半波整流し、半波整流した信号の平均値、すなわち、検波部４の出力を示している。デジタル信号に正の反射信号が加算されているため、平均値は、デジタル信号の電圧値２０Ｖよりも大きい３３．７Ｖとなっている。
【００３１】
また、例えば、図５（ａ）に示すように、テスト用のデジタル信号（パルス信号）をデジタルアンプ１００からスピーカー装置１に出力する。ここで、スピーカーケーブル２００のインピーダンスが１００Ω、スピーカー３側のインピーダンスが５０Ωであり、スピーカー３側のインピーダンスが小さかったとする。そうすると、スピーカーケーブル２００のインピーダンスと、スピーカー３側のインピーダンスと、が一致していないため、デジタル信号がスピーカー３側で反射する。このとき、スピーカーケーブル２００のインピーダンスに比べて、スピーカー３側のインピーダンスが小さすぎるため、反射信号は負となり、図５（ｂ）において楕円で囲った部分のように、デジタル信号に負の反射信号が加算される。
【００３２】
図５（ｃ）は、図５（ｂ）で示す信号を半波整流し、半波整流した信号の平均値、すなわち、検波部４の出力を示している。デジタル信号に負の反射信号が加算されているため、平均値は、デジタル信号の電圧値２０Ｖよりも小さい１４．９Ｖとなっている。
【００３３】
また、例えば、図６（ａ）に示すように、テスト用のデジタル信号（パルス信号）をデジタルアンプ１００からスピーカー装置１に出力する。ここで、スピーカーケーブル２００のインピーダンスが１００Ω、スピーカー３側のインピーダンスが１００Ωであり、スピーカーケーブル２００のインピーダンスと、スピーカー３側のインピーダンスと、一致していたとする。そうすると、スピーカーケーブル２００のインピーダンスと、スピーカー３側のインピーダンスと、が一致しているため、デジタル信号がスピーカー３側で反射しない。従って、図４（ｂ）、図５（ｂ）で示したように、反射信号がデジタル信号に加算されないため、図６（ｂ）に示すような波形となり、電圧値は、ほぼ±２０Ｖとなる。
【００３４】
図６（ｃ）は、図６（ｂ）で示す信号を半波整流し、半波整流した信号の平均値、すなわち、検波部４の出力を示している。デジタル信号に反射信号が加算されていないため、平均値は、デジタル信号の電圧値２０Ｖとほぼ同じ１９Ｖとなっている。
【００３５】
本実施形態では、操作ツマミ６により、可変抵抗Ｒ１の抵抗値を調整することができるため、デジタルアンプ１００が出力するテスト用のデジタル信号（パルス信号）の電圧値（波高値）と、検波部４が出力する平均値と、が一致するように、可変抵抗Ｒ１の抵抗値を調整すれば、スピーカーケーブル２００のインピーダンスと、スピーカー３（受端）側のインピーダンスと、をあわせることができる。ここで、表示部５は、倍率器１０によって設定される基準電圧の電圧値と、検波部４が出力する平均値と、の差分を針１１で表示する。このため、ユーザーは、スライダー７により、倍率器１０によって設定される基準電圧の電圧値を、デジタルアンプ１００が出力するデジタル信号の電圧値に選択すれば、基準電圧の電圧値と、検波部４が出力する平均値と、の差分がなくなるように、すなわち、針１１が中心となるように、操作ツマミ６を調整することで、スピーカーケーブル２００のインピーダンスと、スピーカー３（受端）側のインピーダンスと、をあわせることができる。
【００３６】
以上のように構成されたスピーカー装置１において、スピーカーケーブル２００のインピーダンスとスピーカー３（受端）側のインピーダンスとをあわせる手順について説明する。まず、ユーザーは、スライダー７により、表示部５に表示する基準電圧の電圧値を選択する。ここで、ユーザーは、デジタルアンプ１００が出力するデジタル信号（パルス信号）の電圧値（波高値）をスライダー７により選択する。これにより、デジタルアンプ１００が出力するデジタル信号（パルス信号）の電圧値（波高値）を中心に、針１１が回転する。なお、デジタルアンプ１００が出力するデジタル信号の電圧値は、機種によって異なる。
【００３７】
次に、ユーザーは、デジタルアンプ１００に、図４（ａ）、図５（ａ）、図６（ａ）に示したような、テスト用のデジタル信号（パルス信号）を出力させる。例えば、デジタルアンプ１００は、インピーダンスをあわせるためのテストモードを有しており、テストモードに設定されることで、テスト用のデジタル信号を出力する。
【００３８】
次に、ユーザーは、メーター９を確認しながら、針１１が中心にくるように、操作ツマミ６を操作する。これにより、スピーカーケーブル２００のインピーダンスと、スピーカー３（受端）側のインピーダンスと、をあわせることができる。
【００３９】
以上説明したように、本実施形態では、表示部５は、検波部４が出力したデジタル信号の平均値を表示する。また、ユーザーは、操作ツマミ６によって、スピーカー３に対して並列に接続される可変抵抗Ｒ１の抵抗値を調整することができる。従って、ユーザーは、表示部５に表示される平均値が、デジタルアンプ１００から出力されるデジタル信号の電圧値（波高値）となるように、操作ツマミ６により可変抵抗Ｒ１の抵抗値を調整することにより、デジタルアンプ１００とスピーカー３との間に接続されるスピーカーケーブル２００のインピーダンスと、スピーカー３（受端）側のインピーダンスと、をあわせることができる。これにより、スピーカー３（受端）側でのデジタル信号の反射が防止される。このように、本発明によれば、スピーカーケーブル２００のインピーダンスに関わらず、スピーカー３（受端）側でのデジタル信号の反射を防止することができる。
【００４０】
また、本実施形態では、表示部５は、基準電圧の電圧値と平均値との差分を表示する。このため、ユーザーは、表示部５を確認しながら、基準電圧の電圧値と平均値との差分がなくなるように操作ツマミ６を調整することで、容易に、スピーカーケーブル２００のインピーダンスとスピーカー３側のインピーダンスとをあわせることができる。
【００４１】
また、本実施形態では、表示部５は、アナログ電圧計である。このため、平均値を表示するために、別途電源を設ける必要がない。また、ユーザーは、針１１を確認しながら、基準電圧の電圧値と平均値との差分がなくなるように操作ツマミ６を調整することで、容易に、スピーカーケーブル２００のインピーダンスとスピーカー３側のインピーダンスとをあわせることができる。
【００４２】
また、本実施形態では、検波部４は、ダイオードＤ１、抵抗Ｒ２及びコンデンサＣ２を有する積分回路８によって構成されているため、簡易な回路構成となっている。
【００４３】
また、本実施形態では、可変抵抗Ｒ１にコンデンサＣ１が直列に接続されている。このため、可変抵抗Ｒ１による電流消費を大幅に低減することができる。
【００４４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４５】
上述の実施形態においては、信号受信装置２とスピーカー３とが同一の筐体に設けられており、信号受信装置２とスピーカー３とにより、スピーカー装置１が構成されている。これに限らず、信号受信装置２とスピーカー３とが別の筐体に設けられていてもよい。図７（ａ）は、信号受信装置２とスピーカー３とが別の筐体に設けられた例の、信号受信装置２とスピーカー３との外観を示す側面図である。図７（ｂ）は、信号受信装置の背面図である。図７（ｂ）に示すように、信号受信装置２の筐体背面には、操作ツマミ６、スライダー７、メーター９、接続端子１２、１３が設けられている。
【００４６】
上述の実施形態においては、可変抵抗Ｒ１にコンデンサＣ１が直列に接続されているが、コンデンサＣ１は、設けられていなくてもよい。
【００４７】
上述の実施形態においては、表示部５は、アナログ電圧計である場合を例示した。これに限らず、表示部５は、例えば、デジタル電圧計であってもよい。
【００４８】
上述の実施形態においては、可変抵抗Ｒ１の抵抗値を調整するためのものとして、操作ツマミ６を例示した。これに限らず、例えば、直線状にスライドすることにより、可変抵抗Ｒ１の抵抗値が変化するスライダー等であってもよい。また、基準電圧の電圧値を調整するためのものとして、スライダー７を例示した。これに限らず、例えば、回転することにより、基準電圧の電圧値が変化する操作ツマミ等であってもよい。
【産業上の利用可能性】
【００４９】
本発明は、音声信号等の入力信号を増幅するスイッチングアンプ等のデジタルアンプが出力するデジタル信号を受信し、スピーカーに出力する信号受信装置、及び、スピーカー装置に好適に採用され得る。
【符号の説明】
【００５０】
１  スピーカー装置
２  信号受信装置
３  スピーカー
４  検波部
５  表示部
６  操作ツマミ（第１調整部）
７  スライダー（第２調整部）
８  積分回路
９  メーター
１０  倍率器
１１  針
【図１】
0006447213.tif 000002
【図２】
0006447213.tif 000003
【図３】
0006447213.tif 000004
【図４】
0006447213.tif 000005
【図５】
0006447213.tif 000006
【図６】
0006447213.tif 000007
【図７】
0006447213.tif 000008
【図８】
0006447213.tif 000009